(57)【要約】【課題】顕像化材の発色を解消するためのシートの移動がシートに与える負荷を低減する。【解決手段】実施形態の画像形成装置は、加熱手段と、第１の搬送手段と、第２の搬送手段と、ガイド手段と、を具備する。加熱手段は、シート及びシートが保持する色材を加熱する。第１の搬送手段は、前記加熱手段に、シート及び色材を搬送する。第２の搬送手段は、前記加熱手段に、前記第１の搬送手段に比較して短い搬送距離でシート及び色材を搬送する。ガイド手段は、前記加熱手段にシート及び色材を搬送可能にシート及び色材を前記第１及び第２の搬送手段のいずれか一方に案内する。【選択図】図６
2014137534.tif 000002
【特許請求の範囲】
【請求項１】
シート及びシートが保持する色材を加熱する加熱手段と、
前記加熱手段に、シート及び色材を搬送する第１の搬送手段と、
前記加熱手段に、前記第１の搬送手段に比較して短い搬送距離でシート及び色材を搬送する第２の搬送手段と、
前記加熱手段にシート及び色材を搬送可能にシート及び色材を前記第１及び第２の搬送手段のいずれか一方に案内するガイド手段と、
を具備する画像形成装置。
【請求項２】
前記ガイド手段は、前記第１及び第２の搬送手段のそれぞれに着脱可能で、シート及び色材を案内する際に、前記第１及び第２の搬送手段のいずれか一方に装着する請求項１の画像形成装置。
【請求項３】
前記ガイド手段が前記第２の搬送手段に装着した際、前記第１の搬送手段の動作を停止する請求項１または２の画像形成装置。
【請求項４】
前記ガイド手段が前記画像形成装置の側面に位置する請求項１〜３のいずれか１の画像形成装置。
【請求項５】
前記加熱手段は、前記第２の搬送手段が供給するシート及び色材について、前記第１の搬送手段が供給するシート及び色材よりも高い温度である請求項１〜４のいずれか１の画像形成装置。
【発明の詳細な説明】
【技術分野】
【０００１】
この発明は、画像形成装置に関する。
【背景技術】
【０００２】
シート、例えば普通紙に、色材すなわち顕像化材で可視化した画像を形成する画像形成装置が有る。
【０００３】
可視化した画像の顕像化した色材を加熱することにより、顕色化材の作用を受けて発色する呈色性化合物（色素の前駆体化合物）への顕色剤の効力を低減して、発色状態を解消して消去（非可視化）する消去装置がある。
【０００４】
消去装置としては、画像形成装置の定着部を用いる例がある。
【先行技術文献】
【特許文献】
【０００５】
【特許文献１】特開２００５−２８３３６４号公報
【発明の概要】
【発明が解決しようとする課題】
【０００６】
しかしながら、顕像化材の発色を解消するためのシートの移動は、シートに、必要以上に負荷を与えることがある。
【０００７】
また、複数回の消去（非可視化）に供したシートは、腰（硬さ）を失い、あるいは周縁部に傷を有する場合がある。
【０００８】
このため、移動するシートが搬送不良となる（シートジャムが生じる）ことがある。
【０００９】
本発明の目的は、顕像化材の発色を解消するためのシートの移動がシートに与える負荷を低減する画像形成装置を提供することである。
【課題を解決するための手段】
【００１０】
実施形態の画像形成装置は、加熱手段と、第１の搬送手段と、第２の搬送手段と、ガイド手段と、を具備する。加熱手段は、シート及びシートが保持する色材を加熱する。第１の搬送手段は、前記加熱手段に、シート及び色材を搬送する。第２の搬送手段は、前記加熱手段に、前記第１の搬送手段に比較して短い搬送距離でシート及び色材を搬送する。ガイド手段は、前記加熱手段にシート及び色材を搬送可能にシート及び色材を前記第１及び第２の搬送手段のいずれか一方に案内する。
【図面の簡単な説明】
【００１１】
【図１】実施形態の画像形成装置の一例を示す。
【図２】実施形態の画像形成装置の消去動作時の一例を示す。
【図３】実施形態の画像形成装置の一例（制御ブロック）を示す。
【図４】実施形態の画像形成装置の消去動作（温度制御）の一例を示す。
【図５】実施形態の画像形成装置の画像形成動作への復帰（温度制御）の一例を示す。
【図６】実施形態の画像形成装置の消去動作時のシートの経路の一例を示す。
【図７】実施形態の画像形成装置の一例を示す。
【図８】実施形態の画像形成装置の一例を示す。
【発明を実施するための形態】
【００１２】
以下、実施の形態について図面を参照して説明する。
【００１３】
図１に示す画像形成装置（マルチファンクショナルプリフェラル、ＭＦＰ（multi-function peripherals）、以下、単にＭＦＰと称する）１は、画像形成部３、画像読取部５及び信号処理／動作制御部（回路基板部）７を、少なくとも有する。なお、ＭＦＰ１の所定の位置に、操作部（表示パネル）９が位置する。
【００１４】
画像形成部３は、紙や樹脂シートであるシートに、画像データに対応する可視像を形成する。画像データは、例えば画像読取部５が生成するデータであってもよいし外部からのデータであってもよい。外部からのデータは、半導体メモリ等の記憶（可搬）媒体が供給するデータであってもよいしネットワーク上の供給元がインタフェース７１（図３参照）経由で供給するデータであってもよい。
【００１５】
画像読取部５は、読取対象物の文字や画像を、光の明暗として取得し、明暗に対応する画像データを生成する。
【００１６】
画像読取部５は，原稿テーブル（原稿ガラス）５ａと、照明装置と、画像センサとを、少なくとも含む。画像センサは、照明装置が出力する照明光を、原稿テーブル５ａが支持する原稿（読取対象）が反射する反射光（画像情報）を画像信号に変換する。画像センサは、例えばＣＣＤセンサあるいはＣＭＯＳ（Complementary metal-oxide Semiconductor）センサである。
【００１７】
信号処理／動作制御部７が、画像読取部５が生成する画像信号を、画像形成部３による画像形成に適した画像データに変換する。信号処理／動作制御部７は、図３に一例を示す通り、画像センサからの画像信号に対し、出力画像（プリントアウト）のために、例えば文字特定、輪郭補正、色調補正（色変換、ＲＧＢ→ＣＭＹ、濃度）、中間調（階調）、γ特性（入力濃度値対出力濃度）、等の所定の処理を施す。画像信号及び画像データは、図示しない記憶装置、例えばハードディスクドライブ（ＨＤＤ、Hard Disk Drive）や、ＭＦＰ１から取り出し可能な半導体メモリ等が記憶する。
【００１８】
画像形成部３は、露光装置３１、第１〜第４の単色画像形成ステーション（可視像形成部）３２ａ，３２ｂ，３２ｃ及び３２ｄ、中間転写ベルト（可視像保持（１次転写）部）３３、シート転写装置（２次転写部）３４、定着装置３５、廃トナー収集機構３６、中間転写ベルトクリーナ３７及び廃トナー回収装置３８、等を有する。
【００１９】
画像形成部３はまた、自動両面ユニット（ＡＤＵ、Automatically Duplex Unit）４０、少なくとも１つのシートカセット４１及びシートカセット毎に付属する給紙機構４２、分離機構４３、搬送機構４４及びアライニング機構４５を含む。なお、アライニング機構４５の前段に、手差しトレイ４６及び手差しトレイに付属する給紙機構４７、分離機構４８及びタイミング整合機構４９が位置する。また、アライニング機構４５の後段で、転写位置（中間転写ベルト３３とシート転写装置３４とが接する位置）と定着装置３５との間に、図２を用いて説明する第２手差しトレイ（１４６）からのシートを定着装置３５に供給する第２手差しトレイのタイミング整合機構１４９、分離機構１４８及び給紙機構１４８が位置する。なお、手差しトレイ４６は、支点４６ａを中心として矢印Ａ方向に旋回する可能で、非使用時はＭＦＰ１の所定位置（機体側面）に、実質的に密着する。
【００２０】
露光装置３１は、信号処理／動作制御部７の画像処理部７３が出力する画像データを光の強弱に変換し、第１〜第４の各画像形成ステーション３２ａ，３２ｂ，３２ｃ及び３２ｄの感光体ドラムに照射する。これにより、それぞれの感光体ドラムが潜像（静電像）を形成（生起）する。個々の画像形成ステーション３２ａ，３２ｂ，３２ｃ及び３２ｄは、それぞれ、Ｃ（シアン、cyan），Ｍ（マゼンタ、magenta），Ｙ（イエロ、yellow），Ｋ（黒（ブラック）、black）のそれぞれの色の可視像を形成する。
【００２１】
個々の画像形成ステーション３２ａ，３２ｂ，３２ｃ及び３２ｄは、例えばレーザ光である露光装置３１からの露光光すなわち画像光に対応する潜像を生起して保持する像担持体（感光体ドラム）、現像装置及び転写装置（１次転写部）を有する。現像装置は、感光体ドラムが保持する上述の潜像にトナーを供給して現像する。転写装置は、感光体ドラムが保持するトナー像（可視像）を、中間転写ベルト３３に移動する。各ステーションの配列（位置）すなわち色の順は、画像形成プロセスやトナーの特性に応じて決定する。
【００２２】
中間転写ベルト３３は、個々のステーション３２ａ，３２ｂ，３２ｃ及び３２ｄが形成するトナー像（可視像）を保持し、搬送する。
【００２３】
シート転写装置３４は、中間転写ベルト３３が搬送するトナー像を、シート（用紙）に移動する。
【００２４】
定着装置３５は、シート転写装置３４により中間転写ベルト３３からシートに移動したトナーすなわちトナー像をシートに固定（定着）する。
【００２５】
廃トナー収集機構３６は、それぞれのステーション３２ａ，３２ｂ，３２ｃ及び３２ｄの転写装置（１次転写部）の近傍においてクリーナが除去した感光体ドラムから中間転写ベルト３３に移動することなく（個々の感光体ドラムに）残った転写残りトナー（余剰なトナー）を、廃トナー回収装置３８が回収（保持）可能に収集する。
【００２６】
中間転写ベルトクリーナ３７は、シート転写装置（２次転写部）３４の近傍において、中間転写ベルト３３からシートに移動することなく中間転写ベルト３３に残った転写残り（余剰な）トナーを、同様に、廃トナー回収装置３８が回収（保持）可能に収集する。
【００２７】
廃トナー回収装置３８は、廃トナー収集機構３６が収集した転写残りトナー、及び中間転写ベルトクリーナ３７が収集した転写残りトナーを回収する。
【００２８】
個々の画像形成ステーション３２ａ，３２ｂ，３２ｃ及び３２ｄにおける画像形成動作に対応する所定タイミングで、給紙機構４２が用紙カセット４１からシートを引き出す。分離機構４３がシートを１枚に分離し、搬送機構４４が中間転写ベルト３３とシート転写装置３４とが接する転写位置に（シートを）移動する。すなわち、給紙機構４２がシートカセット４１から引き出し、分離機構４３が１枚に分離したシートは、搬送機構４４を通って転写位置に移動する。シートが転写位置に移動するタイミングは、アライニング機構４５が個々の画像形成ステーション３２ａ，３２ｂ，３２ｃ及び３２ｄにおける画像形成動作に対応して設定する。
【００２９】
定着装置３５は、シート及びシートに静電的に付着した状態のトナーを加熱し、圧力を与え、トナーをシートに固定する。すなわち、シート転写装置３４が静電的に、シートに移動したトナー（トナー像）は、定着装置３５が出力する熱で溶融し、顕色化材の作用を受けて発色する呈色性化合物（色素の前駆体化合物）への顕色剤の効力として所定の色を呈し、その状態（発色）を維持して、定着装置３５からの圧力でシートに密着（熱融着）する。
【００３０】
定着装置３５が定着するトナー（トナー像）を保持したシートは、出力画像（プリントアウト）として、画像読取部５と画像形成部３との間の空間、もしくはＡＤＵ（自動両面ユニット）４０へ移動する。
【００３１】
ＡＤＵ４０は、第１の面にトナー像が密着したシートの第１の面の背面となる第２面にトナーが移動可能にシートの表裏を反転し、表裏が反転したシートを、アライニング機構４５に移動（位置）する。ＡＤＵ４０は、図２に一例を示すが、例えばアライニング機構４５の前段でのシートジャム等の発生時のシートの除去のため、支点４０ａを支点としてＭＦＰ１の機体側面から開放可能である。第２手差しトレイ１４６が位置する支点１４６ａは、ＡＤＵ４０の通常使用時は、外部から見えない。すなわち、第２手差しトレイ１４６は、ＡＤＵ４０を開放することで使用可能である。なお、第２手差しトレイ（１４６）は、ＡＤＵ４０内に常時位置するものではなく、手差しトレイ４６を支点４６ａから取り外し、開放したＡＤＵ４０内に位置する支点１４６ａに装着することで利用可能であり、部品コストの低減を実現している。
【００３２】
信号処理／動作制御部７は、図３に一例を示すが、例えばパーソナルコンピュータ（ＰＣ、Personal Computer）等の外部装置から、あるいはネットワーク等を経由して供給される画像データを受けつける画像入力部（入力インタフェース）７１、画像読取部５が生成した画像信号あるいは入力インタフェース７１からの画像データに、上述の、文字特定、輪郭補正、色調補正、γ特性、等について所定の処理を行う画像処理部７３、画像処理部７３が処理した画像データを、露光装置３１による露光光として用いるための変調信号（露光信号）に変換する変調回路（露光信号生成部）７５、等を含む。
【００３３】
信号処理／動作制御部７はまた、入力インタフェース７１、画像処理部７３、露光信号生成部７５、等の画像信号系を制御する制御装置（ＣＰＵ、Central Processing Unit）７７、及び画像形成部３と画像読取部５とを含むＭＦＰ１の全体の動作を制御する主制御装置（ＭＰＵ、Main Processing Unit）７９を有し、画像読取動作、画像形成動作、及び以下に説明する消色（消去）時の定着装置３５の温度（定着→消去／消去→定着）等、を制御する。なお、ＭＰＵ７９は、ＭＦＰ１に対する指示（操作）を受けつけるコントロールパネル（操作部）９からの制御入力に従い、ＭＦＰ１の各部（要素）を制御する。また、操作部９は、例えば文字列あるいは記号（ピクトグラム、pictogram／アイコン、icon）等として広く知られている表示（ユーザインタフェース）により、ＭＦＰ１の各部の状態、例えば消去→定着時の温度の変更のための待ち時間、等を表示する表示部９ａを有し、ユーザによる制御入力の受けつけ及び受けつけた入力の表示及びＭＰＵ７９の制御に従う、上記表示等を表示する。
【００３４】
信号処理／動作制御部７はまた、ＲＯＭ（Read Only Memory、読み出し専用（プログラム）メモリ）１１１、ＲＡＭ（Random Access Memory、ランダムアクセスメモリ）１１３、ＮＶＭ（Non-volatile Memory、不揮発性メモリ）１１５、画像処理部７３における画像処理に用いるページメモリ（ワークメモリ）１１７、及び例えばＡＤＵ４０の開放を検出するセンサ（開放センサ）、手差しトレイ４６及び第２手差しトレイ１４６のいずれか一方の使用可能状態（トレイが支点４６ａと支点１４６ａのどちらに位置しているか）等を示すトレイセンサ出力を、等をＭＰＵ７９に入力するＩ／Ｏポート１１９、等と接続する。
【００３５】
ＭＰＵ７９は、任意のモータ１３１，１３３，・・・，１３９の回転を制御するモータドライバ１２１と接続する。モータ１３１は、例えば第１〜第４の画像形成ステーション３２ａ，３２ｂ，３２ｃ及び３２ｄ，及び中間転写ベルト３３等を駆動する。モータ１３３は、シートの搬送に関わるカセットから定着装置３５（ＡＤＵ４０）までの間の要素、例えば給紙機構４２、分離機構４３、搬送機構４４、アライニング機構４５及びシート転写装置３４、同じく手差しトレイ４６〜定着装置３５までの間の要素、例えば給紙機構４７、分離機構４８及びタイミング整合機構４９、同じく第２手差しトレイ１４６〜定着装置３５までの間の要素、例えば給紙機構１４７、分離機構１４８及び第２のタイミング整合機構１４９等を駆動する。なお、定着装置３５は、独立に、例えばモータ１３９が駆動する。また、手差しトレイ４６〜定着装置３５までの間の要素と、第２手差しトレイ１４６〜定着装置３５までの間の要素と、を独立したモータで駆動することも可能であるが、実施形態においては、図４において説明するトレイ検出結果に従い、いずれか一方の駆動を停止する例を示す。
【００３６】
ＭＰＵ７９はまた、定着装置３５の温度を変化するためのヒータを駆動するヒータ制御装置１２３と接続する。
【００３７】
図４に、消去動作時の動作の一例を示す。
【００３８】
シート上のトナーが消色トナーである場合、シート及びトナーに所定の熱（温度）を与えることで、顕色剤の作用を受けて発色する呈色性化合物（色素の前駆体化合物）への顕色剤の効力を低減し、発色状態を解消して消色する。なお、消色温度（熱）は、定着装置３５の例えばローラに組み込まれるヒータランプあるいはベルトの金属層もしくはローラの金属面に誘導熱を生じさせるＩＨ（誘導加熱）ヒータ等が提供する。また、実施形態においては、消去装置を独立に持たず、定着装置３５が提供する熱を定着温度より高い消色温度に変更することで、消色（消去）する。
【００３９】
操作部９からの消去モードの選択に基づいて、例えば『ＡＤＵ（自動両面ユニット）を開放してください』等のメッセージを、表示パネル９ａ（操作部）に表示する［０１］。
【００４０】
定着装置３５の温度を、ヒータ制御装置１２３からのヒータへの制御指示に従い、消去温度まで上昇する制御（消色昇温制御（第１の温度制御））を開始する。［０２］。
【００４１】
ＡＤＵの開放を、センサ出力すなわちＩ／Ｏ１１９への入力に基づいて検出し、例えば『手差しトレイをＡＤＵ内に装着してください』等の、消去動作の準備を促すメッセージを、表示パネル９ａに表示する［０３］。
【００４２】
手差しトレイの消去時の位置（支点１４６ａ）へのセット（装着）を、センサ出力すなわちＩ／Ｏ１１９への入力に基づいて検出する［０４］。
【００４３】
定着装置３５の温度が消色温度に達した（温度が消色温度まで上昇した）ことを検出し［０５−ＹＥＳ］、『［スタート］ボタンをオンしてください』等の消色動作開始を促すメッセージを、表示パネル９ａ（操作部）に表示する［０６］。
【００４４】
以下、消色するシートの残りがある場合、消去動作を繰り返し［０７−ＹＥＳ］、残りシートがなくなった場合［０７−ＮＯ］、待機となる。
【００４５】
なお、消去モード時は、ＡＤＵが開放状態であるため、モータ制御装置１２３がモータ１３９（定着装置）及びモータ１３３（第２手差しトレイ〜定着装置までの間の要素）のみを動作するよう、制御するものとする。これにより、画像形成ステーションを駆動するモータ１３１等が消費する電力が不要となり、節電となる。
【００４６】
また、手差しトレイ４６は、図２における矢印Ｂ方向への移動で、支点４６ａから取り外し、矢印Ｃ方向への移動で、支点１４６ａに装着する例に限らず、着脱が可能でシートの移動を妨げない任意の構成を利用できる。
【００４７】
図５に、消去動作から画像形成動作への復帰動作の一例を示す。
【００４８】
消色トナーの色（発色）を解消（消去）するため、定着装置３５の温度は、定着動作に用いる温度よりも高い消去温度に変更されている（図４参照）。従って、画像形成が指示された場合、定着装置３５の温度を、定着動作に適した温度に設定する温度低減制御（第２の温度制御）が必要である。
【００４９】
操作部９からの消去モードの終了の選択に基づいて、例えば『手差しトレイをＡＤＵから取り外して、ＡＤＵを閉じてください』等のメッセージを、表示パネル９ａ（操作部）に表示する［１１］。
【００５０】
定着装置３５の温度を、ヒータ制御装置１２３からのヒータへの制御指示に従い、定着温度に設定する制御（第２の温度制御）を開始する［１２］。
【００５１】
定着装置３５の温度の温度が、定着可能温度であることを検出する［１３］。
【００５２】
定着温度に達するまでの時間が一定時間よりも長いと予測できる（例えば定着温度よりも１０％以上高い）温度である場合［１３−ＮＯ］、モータ１３９を一定時間動作して、定着装置３５のローラ（ベルト）を駆動する［１４］。これにより、定着装置３５の温度の低下が促進する。
【００５３】
一定時間の定着装置３５のローラ（ベルト）の駆動後、定着可能温度に達したことを検出する［１５］。
【００５４】
定着温度に達するまでの時間が一定時間よりも長いと予測できる（例えば定着温度よりも１０％以上高い）温度である場合［１５−ＮＯ］、モータ１３９のみを動作し、定着装置３５のローラ（ベルト）を駆動する［１４］。
【００５５】
定着装置３５の温度が定着温度に達するまでの時間が一定時間内である場合（定着温度よりも高いが１０％未満である）温度である場合［１３−ＹＥＳ］、［１５−ＹＥＳ］、『コピーできます』等のユーザの動作を促すメッセージを、表示パネル９ａに表示する［１６］。この場合、定着装置３５の温度が完全に定着温度に低下するまで、僅かなタイムラグが生じることがあるが、ユーザが、不所望に待ち時間を意識することがない。もちろん、例えば『１０秒ほどお待ちください』等のメッセージを、表示してもかまわない。
【００５６】
図６は、実施形態に適した画像形成装置（ＭＦＰ）の定着装置の特徴を示す。
【００５７】
定着装置３５は、図１及び図２に示した通り、第２手差しトレイの支点１４６ａからのシートがシート転写装置３４からのシートよりも定着装置３５側で入り込む位置に、位置する。すなわち、第２手差しトレイの支点１４６ａからのシートは、カセット４１からのシートの移動距離に比較して短い距離を移動する。このため、移動するシートが搬送不良となる（シートジャムが生じる）ことが低減する。
【００５８】
なお、定着装置３５のローラ／ベルト（エンドレス体）のうち第２手差しトレイの支点１４６ａ側に位置するエンドレス体（実施形態ではローラ３５ｄ）は、第１ローラ３５ａ及び第２ローラ３５ｂが張力を与えるエンドレスベルト３５ｃと接するニップにおいて、シートの移動方向に対し、第２手差しトレイの支点１４６ａから遠ざかる方向に、角度θでエンドレスベルト３５ｃ（第１ローラ３５ａ）と接する。すなわち、エンドレス体３５ｄは、シートの移動方向と直交する方向と第１ローラ３５ａの回転中心とを結ぶ線分Ｄに対して角度θでニップを構成する。
【００５９】
このエンドレス体３５ｄの配置は、第２手差しトレイの支点１４６ａに位置する手差しトレイ４６からの消色（消去）のためのシートのニップへの移動を、エンドレス体３５ｄが線分Ｄの延長線上に位置する場合に比較して、容易とする。すなわち、シートがニップへ入り込む際のシートへの負荷を低減する。
【００６０】
なお、図１及び図２に示すＭＦＰ（画像形成装置）は、Ｃ，Ｍ，Ｙ，Ｂｋの４色の色材で４つの単色画像を形成してカラー画像を出力する例であるが、図７が示すように、モノクロ（単色Ｂｋ）画像を形成する第１及び第２の画像形成ステーション２１１，２２１を有し、一方が消色トナーを用いる消去／非消去切り換え可能なＭＦＰ２０１であってもよい。
【００６１】
また、ＭＦＰ（画像形成装置）は、図８が示すように、Ｃ，Ｍ，Ｙ，Ｂｋの４色の色材で４つの単色画像を形成してカラー画像を形成する４つの画像形成ステーション３１１，３２１，３３１及び３４１と、消色トナーを用いて消去可能なモノクロ（単色Ｂｋ）画像を形成する第５の画像形成ステーション３５１を有するＭＦＰ３０１であってもよい。
【００６２】
なお、定着装置３５は、図７あるいは図８が示すように、ヒートローラ３５ｈとプレスローラ３５ｐのみであってもかまわない。
【００６３】
また、図８が示す通り、自動両面ユニット（ＡＤＵ）が付属しないＭＦＰ３０１の場合は、第２の手差しトレイ支点１４６ａが機体（本体）側方（矢印Ｅ方向）から目視可能である。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１，２０１，３０１…ＭＦＰ（画像形成装置）、３…画像形成部、７…制御（信号処理／動作制御）部、９…操作部、９ａ…表示部、３４…シート転写装置、３５…定着装置、４０…自動両面ユニット、４０ａ…自動両面ユニット支点、４５…アライニング機構、４６…手差しトレイ（消去用トレイ）、４６ａ…手差しトレイ支点、４９…タイミング整合機構、７７…ＣＰＵ（画像信号系制御装置）、７９…ＭＰＵ（主制御装置）、１１９…Ｉ／Ｏポート（入力検出／トレイ位置検出）、１２１…モータドライバ、１２３…ヒータ制御装置、１４６ａ…手差しトレイ（消去時利用）支点、１４９…（消去時用）タイミング整合機構。
【図１】
2014137534.tif 000003
【図２】
2014137534.tif 000004
【図３】
2014137534.tif 000005
【図４】
2014137534.tif 000006
【図５】
2014137534.tif 000007
【図６】
2014137534.tif 000008
【図７】
2014137534.tif 000009
【図８】
2014137534.tif 000010